(57)【特許請求の範囲】
【請求項１】
ヒューズ筒を内部に装着する共に、下部に一体化された下部スカートに形成された開口部を有するカットアウト本体と、
前記下部スカートの開口部を閉止する閉止蓋と、を備え、
前記閉止蓋は、
頭部に形成され、前記開口部の内部の嵌合縁に嵌合する鍔部、前記鍔部から延出した円筒部、及び前記円筒部の外周に形成され、一端部が前記下部スカートに繋留された吊り紐の他端部に繋留される繋留部を設けた閉止蓋本体と、
前記円筒部と同軸上に回転自在、及び前記円筒部と離反困難に連結した摘みと、を有し、
前記摘みは、絶縁操作棒の先端部に設けた一対の把持腕で把持可能な一対の把持面を外周に形成している円筒形カットアウト。
【請求項２】
一対の前記把持面は、前記摘みの端面から前記円筒部に向かって所定の長さに切り欠かれると共に、相反する向きに向かう一対の劣弧が切り欠かれた弦となる平面からなる請求項１記載の円筒形カットアウト。
【請求項３】
前記把持面には、滑り止め加工が施されている請求項１又は２記載の円筒形カットアウト。
【請求項４】
前記摘みは、一方の前記把持面から他方の前記把持面に向けて貫通する係止穴を前記把持面の中央部に開口している請求項１から３のいずれかに記載の円筒形カットアウト。
【発明の詳細な説明】
【技術分野】
【０００１】
本発明は、円筒形カットアウトに関する。特に、ヒューズ筒を内蔵する円筒形カットアウトであって、絶縁操作棒を用いて、円筒形カットアウトの底部に閉止蓋を着脱容易な閉止蓋付きの円筒形カットアウトの構造に関する。
【背景技術】
【０００２】
カットアウトは、定格以上の電流を遮断する遮断器である。円筒形カットアウトは、主として屋外で使用され、円筒状の碍子で外装された本体の内部に高圧用のヒューズ筒を有している。例えば、円筒形カットアウトは、変圧器と共に電柱などの高所に設置されている。
【０００３】
耐塩形の円筒形カットアウトは、塩分を含む外気が内部に入らないように、本体の底部を閉止蓋で塞いでいる。ヒューズ筒は、内部のヒューズが作動（溶断）すると、閉止蓋が本体から離脱するように構成されている。
【０００４】
一般に、閉止蓋と本体とは、吊り紐で繋留され、閉止蓋の落下又は紛失が防止されている。そして、正常なヒューズを組み込んだヒューズ筒が円筒形カットアウトに装着された後に、閉止蓋が本体の底部に閉止される。
【０００５】
近年では、架空線などを無停電で配電工事する活線作業には、絶縁操作棒（ホットスティック）などを用いて、作業者が通電中の架空線に直接触れることなく、配電工事が可能な間接活線工法が奨励されている。
【０００６】
したがって、高所に設置された円筒形カットアウトにヒューズ筒を装着又は取り外しする配電工事にも、絶縁操作棒が用いられている。又、閉止蓋を着脱する作業にも絶縁操作棒が用いられている。
【０００７】
次に、従来技術による円筒形カットアウトの構成を説明する。図６は、従来技術による円筒形カットアウトの構成を示す縦断面図であり、従来技術による閉止蓋を吊り下げた状態図である。図７は、従来技術による円筒形カットアウトに備わるヒューズ筒の構成を示す斜視図である。
【０００８】
図６を参照すると、従来技術による円筒形カットアウト（以下、カットアウトと略称する）１００は、円筒状のカットアウト本体１とヒューズ筒２を備えている。カットアウト本体１は、略円形の開口部１１を底部に設けている。ヒューズ筒２は、開口部１１から挿入されて、カットアウト本体１の内部に装着されている。
【０００９】
図６を参照すると、カットアウト本体１は、その略外殻を構成する円筒状の碍子１ａを有している。カットアウト本体１は、碍子１ａの頂部を被覆する絶縁キャップ１ｂを有している。そして、絶縁キャップ１ｂを介して電線ｗ１を延出している。電線ｗ１は、商用電源（図示せず）に接続している。又、電線ｗ１は、その端末に電極ｅ１を設けている。電極ｅ１は、ヒューズ筒２の上面に接触（導通）している。
【００１０】
図６を参照すると、カットアウト本体１は、碍子１ａの底部の外周から突出する絶縁キャップ１ｃを有している。そして、絶縁キャップ１ｃを介して電線ｗ２を延出している。電線ｗ２は、負荷装置（図示せず）に接続している。又、電線ｗ１は、その端末に電極ｅ２を設けている。電極ｅ２は、ヒューズ筒２の下方に設けた可動筒２２の外周に接触（導通）している（図７参照）。そして、ヒューズ筒２を介して商用電源と負荷装置が電気的に接続されている。
【００１１】
図６を参照すると、碍子１ａの底部には、下部スカート１ｄを固定している。下部スカート１ｄには、前述した開口部１１を設けている。カットアウト１０は、閉止蓋８を開口部１１に取り付けて閉止できる。閉止蓋８は、下部スカート１ｄに繋留された吊り紐８ａで懸架されているので、落下又は紛失が防止されている。
【００１２】
図７を参照すると、ヒューズ筒２は、固定筒２１と導電性の可動筒２２を有している。固定筒２１は、ヒューズ筒２の外殻を構成している。可動筒２２は、フランジ２ｆを一端部側に設けている。可動筒２２は、フランジ２ｆの近傍に配置され、可動筒２２の外周面から相反する向きに向かう一対の第１突起２ａ・２ａを設けている（図６参照）。
【００１３】
図７を参照すると、固定筒２１は、導電性の先端筒部２１ａ、絶縁性の中間筒部２１ｂ、及び絶縁性の基端筒部２１ｃを同軸状に連設している。図７を参照して、可動筒２２は、基端筒部２１ｃから離反して先端筒部２１ａに向かって移動する力を付勢されている。又、可動筒２２は、固定筒２１に内装されたヒューズ２ｈに連結する導線２ｗに係止されて、その移動が抑止されている。
【００１４】
図７を参照すると、ヒューズ筒２は、ヒューズ２ｈを中間に接続した導線２ｗを内装している。導線２ｗの一端部は、先端筒部２１ａに導通している。導線２ｗの他端部は、基端筒部２１ｃから延出して、切り欠き溝２１ｋを通り、ボルト２３で可動筒２２の外周に固定されている。つまり、先端筒部２１ａと可動筒２２とは、ヒューズ２ｈを介して導線２ｗで電気的に接続している。
【００１５】
図７を参照すると、可動筒２２は、圧縮コイルばね（図示せず）を内蔵している。この圧縮コイルばねは、可動筒２２が基端筒部２１ｃから離反して、先端筒部２１ａに向かって移動する力を付勢している。図７に示された状態では、固定筒２１に内装された導線２ｗに係止されて、可動筒２２は、その移動が抑止されている。
【００１６】
図７を参照して、ヒューズ２ｈが作動（溶断）すると、可動筒２２が先端筒部２１ａに向かって移動する。しかし、可動筒２２は、カットアウト本体１に保持されているので（図６参照）、相対的に、基端筒部２１ｃが可動筒２２から突出する。そして、基端筒部２１ｃの先端部が閉止蓋８を押し出して、閉止蓋８をカットアウト１０の底部から離脱させる（図６参照）。
【００１７】
ところで、ヒューズ筒が作動した後に、開閉可能な一対の把持腕を設けた把持工具を先端部に有する絶縁操作棒（いわゆる、ヤットコ）を用いて、閉止蓋を円筒形カットアウトの底部に閉止蓋を閉止（取り付け）することは容易ではなかった。
【００１８】
上述した不具合に対して、閉止蓋の開閉手段を設けることができると共に、間接活線工事に使用される絶縁操作棒の先端部に設けた先端工具により、閉止蓋を容易に開閉できるようにした円筒形カットアウトが開示されている（例えば、特許文献１参照）。
【００１９】
特許文献１による円筒形カットアウトは、カットアウト本体の下部に一体化された下部スカートにヒューズ筒を挿入するために形成された開口部を閉止蓋によって開閉自在に密封するようにした円筒形カットアウトであって、水平方向に回転支持されるように、下部スカートに配置される第１回転軸と、水平方向に回転支持されるように、閉止蓋に配置される第２回転軸と、第１回転軸と第２回転軸の各端部を連結すると共に、少なくとも一方が第１回転軸及び第２回転軸に対して着脱可能な一対のアームとで構成された、閉止蓋の開閉手段を備えている。
【００２０】
特許文献１による円筒形カットアウトは、開放状態の閉止蓋を閉じる場合は、間接活線工事に使用される絶縁操作棒の先端部に設けた先端工具によって、一対のアームを閉方向に回動させると共に、閉止蓋を閉方向に押圧して、下部スカートの開口部を密封できる、としている。
【００２１】
又、上述した不具合に対して、絶縁操作棒による閉止蓋の開閉作業を容易にした別の円筒形カットアウトが開示されている（例えば、特許文献２参照）。
【００２２】
特許文献２による円筒形カットアウトは、カットアウト本体の下部に一体化された下部スカートにヒューズ筒を挿入するために形成された開口部を閉止蓋によって開閉自在に密封するようにした円筒形高圧カットアウトであって、閉止蓋の一端側は、下部スカートの外側に設けた支持部材に回動自在に枢支される一方、閉止蓋の他端側は、下部スカートの内側に設けた係止部材に係脱自在に係止されるように構成している。
【００２３】
又、特許文献２による円筒形カットアウトは、閉止蓋の外壁には係止片を突出させていると共に、係止片の先端部には、係止穴を開口している。
【００２４】
特許文献２による円筒形カットアウトは、絶縁操作棒の先端部に設けた先尖り状の先端工具を係止片の係止穴に係合して、閉止蓋の開方向又は閉方向に操作することで、閉止蓋を開閉できる、としている。
【先行技術文献】
【特許文献】
【００２５】
【特許文献１】特開２０１１−８１９７９号公報
【特許文献２】特開２００７−２００８０５号公報
【発明の概要】
【発明が解決しようとする課題】
【００２６】
しかしながら、特許文献１又は特許文献２による円筒形カットアウトは、カットアウト本体の構成の一部である下部スカート及び閉止蓋を改造、又は新たな下部スカート及び閉止蓋に交換する必要がある。円筒形カットアウトは、大量に設置されており、既設の円筒形カットアウトに対して、下部スカート及び閉止蓋を交換することは、経済的でないという問題がある。
【００２７】
既設の円筒形カットアウトを大幅改造することなく、絶縁操作棒を用いて、円筒形カットアウトの底部に閉止蓋を着脱容易な閉止蓋付きの円筒形カットアウトが求められている。そして、以上のことが本発明の課題といってよい。
【００２８】
本発明は、このような問題に鑑みてなされたものであり、既設の円筒形カットアウトを大幅改造することなく、絶縁操作棒を用いて、円筒形カットアウトの底部に閉止蓋を着脱容易な閉止蓋付きの円筒形カットアウトを提供することを目的とする。
【課題を解決するための手段】
【００２９】
本発明者は、既存の下部スカートに設けた開口部に着脱できると共に、既存の吊り紐に繋留できる閉止蓋本体と、閉止蓋本体と回転自在に連結した円柱状の摘みとで閉止蓋を構成し、摘みには、絶縁操作棒の先端部に設けた一対の把持腕で把持可能な把持面を形成することにより、この課題を解消できることを見出し、これに基づいて、以下のような新たな円筒形カットアウトを発明するに至った。
【００３０】
（１）本発明による円筒形カットアウトは、ヒューズ筒を内部に装着する共に、下部に一体化された下部スカートに形成された開口部を有するカットアウト本体と、前記下部スカートの開口部を閉止する閉止蓋と、を備え、前記閉止蓋は、頭部に形成され、前記開口部の内部の嵌合縁に嵌合する鍔部、前記鍔部から延出した円筒部、及び前記円筒部の外周に形成され、一端部が前記下部スカートに繋留された吊り紐の他端部に繋留される繋留部を設けた閉止蓋本体と、前記円筒部と同軸上に回転自在、及び前記円筒部と離反困難に連結した摘みと、を有し、前記摘みは、絶縁操作棒の先端部に設けた一対の把持腕で把持可能な一対の把持面を外周に形成している。
【００３１】
（２）一対の前記把持面は、前記摘みの端面から前記円筒部に向かって所定の長さに切り欠かれると共に、相反する向きに向かう一対の劣弧が切り欠かれた弦となる平面からなることが好ましい。
【００３２】
（３）前記把持面には、滑り止め加工が施されていることが好ましい。
【００３３】
（４）前記摘みは、一方の前記把持面から他方の前記把持面に向けて貫通する係止穴を前記把持面の中央部に開口していることが好ましい。
【発明の効果】
【００３４】
本発明による円筒形カットアウトは、その閉止蓋に設けた摘みを絶縁操作棒の先端部に設けた一対の把持腕で把持して、閉止蓋を既設のカットアウト本体の底部に容易に着脱できる。
【００３５】
本発明による円筒形カットアウトは、吊り紐に繋留された閉止蓋本体と摘みが回転自在連結しているので、吊り紐に巻き付かれることなく、閉止蓋を既設のカットアウト本体の底部に容易に着脱できる。
【図面の簡単な説明】
【００３６】
【図１】本発明の一実施形態による円筒形カットアウトの構成を示す縦断面図であり、円筒形カットアウトに備わる閉止蓋を吊り下げた状態図である。
【図２】前記実施形態による円筒形カットアウトの構成を示す縦断面図であり、絶縁操作棒を用いて、閉止蓋を円筒形カットアウトに取り付ける前の状態図である。
【図３】前記実施形態による円筒形カットアウトに備わる閉止蓋の構成を示す図であり、図３（Ａ）は閉止蓋の正面図、図３（Ｂ）は閉止蓋の平面図、図３（Ｃ）は閉止蓋の下面図、図３（Ｄ）は閉止蓋の左側面図、図３（Ｅ）は、図３（Ａ）のＡ−Ａ矢視断面図である。
【図４】前記実施形態による円筒形カットアウトに備わる閉止蓋の構成を示す図であり、図４（Ａ）は閉止蓋の斜視図、図４（Ｂ）は閉止蓋の斜視分解組立図である。
【図５】前記実施形態による円筒形カットアウトに備わる閉止蓋を把持するための絶縁操作棒の正面図である。
【図６】従来技術による円筒形カットアウトの構成を示す縦断面図であり、従来技術による閉止蓋を吊り下げた状態図である。
【図７】従来技術による円筒形カットアウトに備わるヒューズ筒の構成を示す斜視図である。
【発明を実施するための形態】
【００３７】
以下、図面を参照して本発明を実施するための形態を説明する。
［円筒形カットアウトの構成］
次に、本発明の一実施形態による円筒形カットアウトの構成を説明する。
【００３８】
図１は、本発明の一実施形態による円筒形カットアウトの構成を示す縦断面図であり、円筒形カットアウトに備わる閉止蓋を吊り下げた状態図である。図２は、前記実施形態による円筒形カットアウトの構成を示す縦断面図であり、絶縁操作棒を用いて、閉止蓋を円筒形カットアウトに取り付ける前の状態図である。
【００３９】
図３は、前記実施形態による円筒形カットアウトに備わる閉止蓋の構成を示す図であり、図３（Ａ）は閉止蓋の正面図、図３（Ｂ）は閉止蓋の平面図、図３（Ｃ）は閉止蓋の下面図、図３（Ｄ）は閉止蓋の左側面図、図３（Ｅ）は、図３（Ａ）のＡ−Ａ矢視断面図である。
【００４０】
図４は、前記実施形態による円筒形カットアウトに備わる閉止蓋の構成を示す図であり、図４（Ａ）は閉止蓋の斜視図、図４（Ｂ）は閉止蓋の斜視分解組立図である。なお、従来技術で用いた符号と同じ符号を付した構成品は、その作用を同じとするので、説明を省略することがある。
【００４１】
図１又は図２を参照すると、本発明の一実施形態によるカットアウト１０は、円筒状のカットアウト本体１と閉止蓋３を備えている。カットアウト本体１は、ヒューズ筒２を内部に装着する共に、下部に一体化された下部スカート１ｄに形成された開口部１１を有している。閉止蓋３は、下部スカート１ｄの開口部１１に向かって押し付けることで、開口部１１を閉止できる。
【００４２】
（閉止蓋の構成）
図３又は図４を参照すると、閉止蓋３は、閉止蓋本体３１と円柱状の摘み３２で構成している。閉止蓋本体３１に対して、摘み３２は、同軸上に回転自在、及び閉止蓋本体３１と離反困難に連結している。閉止蓋本体３１及び摘み３２は、絶縁性を有する合成樹脂で形成されている。
【００４３】
図３又は図４を参照すると、閉止蓋本体３１は、鍔部３ａ、円筒部３ｂ、及び繋留部３ｃを設けている。鍔部３ａは、閉止蓋本体３１の頭部に形成している。鍔部３ａは、開口部１１の内部の嵌合縁１１ｄに嵌合できる（図１又は図２参照）。円筒部３ｂは、鍔部３ａから延出している。繋留部３ｃには、一端部が下部スカート１ｄに繋留された吊り紐８ａの他端部に繋留できる（図１又は図２参照）。なお、図３又は図４では、吊り紐８ａの図示を省略している。
【００４４】
図３（Ｅ）又は図４（Ｂ）に示した実施例では、閉止蓋本体３１は、円板部材３１１と内部が中空のキャップ部材３１２で構成している。又、摘み３２は、抜け止め用のフランジ３２ｆを頭部に設けている。摘み３２の軸部がキャップ部材３１２の一端部から突出するように、フランジ３２ｆをキャップ部材３１２の内部に収容し、キャップ部材３１２の他端部を円板部材３１１に接合することで、閉止蓋本体３１に対して、摘み３２を同軸上に回転自在、及び閉止蓋本体３１と離反困難に連結できる。
【００４５】
図３（Ｅ）又は図４（Ｂ）に示した実施例に限定されることなく、円板部材３１１と内部が中空のキャップ部材３１２を一体に構成し、キャップ部材３１２の一端部に設けた開口にフランジ３２ｆを圧入して、閉止蓋本体３１に対して、摘み３２を同軸上に回転自在、及び閉止蓋本体３１と離反困難に連結してもよい。
【００４６】
図３又は図４を参照すると、摘み３２は、一対の把持面３２１・３２１を外周に形成している。これらの把持面３２１・３２１は、後述する、絶縁操作棒９の先端部に設けた一対の把持腕９ａ・９ｂで把持できる（図５参照）。
【００４７】
図３又は図４を参照すると、一対の把持面３２１・３２１は、摘み３２の端面から円筒部３ｂに向かって所定の長さに切り欠かれている。又、一対の把持面３２１・３２１は、相反する向きに向かう一対の劣弧が切り欠かれた弦となる平面からなっている。
【００４８】
図３又は図４を参照すると、一対の把持面３２１・３２１には、ダイヤモンドカット状の滑り止め加工が施されている。これにより、後述する、絶縁操作棒９の先端部に設けた一対の把持腕９ａ・９ｂで把持したときの滑りを防止できる。
【００４９】
図３又は図４を参照すると、摘み３２は、把持面３２１の中央部に係止穴３２ｈを開口している。係止穴３２ｈは、一方の把持面３２１から他方の把持面３２１に向けて貫通している。係止穴３２ｈには、クイックと呼ばれる絶縁操作棒（図示せず）の先端部に設けた爪を差し込むことができる。そして、前述したクイックで摘み３２を把持できる。
【００５０】
（絶縁操作棒の構成）
次に、カットアウト１０に備わる閉止蓋３を把持するための絶縁操作棒の構成を説明する。図５は、前記実施形態による円筒形カットアウトに備わる閉止蓋を把持するための絶縁操作棒の正面図である。
【００５１】
図５を参照すると、絶縁操作棒９は、長尺の操作棒９１と把持工具９２で構成している。把持工具９２は、操作棒９１の先端部に着脱自在に取り付けられている。又、絶縁操作棒９は、作動棒９３を備えている。
【００５２】
図５を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００５３】
図５を参照すると、作動棒９３は、操作棒９１に沿って保持されている。作動棒９３の先端部は、他方の把持腕９ｂに回動可能に連結している。そして、作動棒９３の基端部に設けた操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで連結され、間接活線工法に好適なように、絶縁性が確保されている。
【００５４】
図５に示した絶縁操作棒９は、高所に配置されたカットアウト１０の底部を閉止する閉止蓋３の摘み３２を一対の把持腕９ａ・９ｂで把持できる、いわゆる「ヤットコ」になっている（図２参照）。又、一対の把持腕９ａ・９ｂで摘み３２を把持して、閉止蓋３をカットアウト１０の底部に取り付けることもできる（図２参照）。
【００５５】
［円筒形カットアウトの作用］
次に、実施形態によるカットアウト１０の作用及び効果を説明する。実施形態によるカットアウト１０は、図６に示した従来技術による閉止蓋８を図１に示した実施形態による閉止蓋３に容易に交換できる。図１を参照して、カットアウト１０は、既存の吊り紐８ａを利用して、閉止蓋８を閉止蓋３に交換でき、カットアウト本体１を改造する必要がないので経済的である。
【００５６】
図２を参照して、実施形態によるカットアウト１０は、閉止蓋３に設けた摘み３２を絶縁操作棒９の先端部に設けた一対の把持腕９ａ・９ｂで把持して、閉止蓋３をカットアウト本体１の底部に着脱できる。この場合、吊り紐８ａに繋留された閉止蓋本体３１と摘み３２が回転自在に連結しているので（図３又は図４参照）、吊り紐８ａに巻き付かれることなく、閉止蓋３をカットアウト本体１の底部に容易に着脱できる。
【００５７】
図３又は図４を参照すると、実施形態による閉止蓋３は、一対の把持面３２１・３２１が相反する向きに向かう一対の劣弧が切り欠かれた弦となる平面からなっているので、一対の把持腕９ａ・９ｂで確実に把持できる（図２又は図５参照）。
【００５８】
又、図３又は図４を参照すると、一対の把持面３２１・３２１には、ダイヤモンドカット状の滑り止め加工が施されているので、絶縁操作棒９の先端部に設けた一対の把持腕９ａ・９ｂで把持したときの滑りを防止できる（図２又は図５参照）。
【００５９】
更に、図３又は図４を参照すると、摘み３２は、把持面３２１の中央部に貫通した係止穴３２ｈを開口しているので、クイックと呼ばれる絶縁操作棒（図示せず）の先端部に設けた爪を差し込むことができ、クイックで摘み３２を素早く把持できる。
【００６０】
本発明による円筒形カットアウトは以下の効果が期待できる。
（１）従来の閉止蓋と比べて、絶縁操作棒を用いて、閉止蓋をカットアウト本体の底部に容易に着脱できる。
（２）通常の絶縁操作棒を用いて、閉止蓋をカットアウト本体の底部に着脱できる。
（３）強風時でも、絶縁操作棒を用いて、閉止蓋を確実に把持できる。
（４）絶縁操作棒を用いて、カットアウト本体の斜め下方向から閉止蓋を移動できる。
（５）閉止蓋本体と摘みが回転自在に連結しているので、閉止蓋をカットアウト本体に取り付けるときに、吊り紐が邪魔にならない。
（６）絶縁操作棒を用いて、カットアウト本体の底部に閉止蓋を着脱できるので、絶縁手袋を使用しなくて済む。
（７）電柱などに昇ることなく、安全に閉止蓋を着脱できる。
（８）摘みの外周に滑り止め加工を施したので、摘みを確実に把持できる。
【符号の説明】
【００６１】
１  カットアウト本体
１ｄ  下部スカート
２  ヒューズ筒
３  閉止蓋
３ａ  鍔部
３ｂ  円筒部
３ｃ  繋留部
８ａ  吊り紐
９  絶縁操作棒
９ａ・９ｂ  一対の把持腕
１０  カットアウト（円筒形カットアウト）
１１  開口部
１１ｄ  嵌合縁
３１  閉止蓋本体
３２  摘み
３２１・３２１  一対の把持面
【要約】
【課題】カットアウト本体の底部に閉止蓋を着脱容易な円筒形カットアウトを提供する。
【解決手段】カットアウト１０は、ヒューズ筒２を内部に装着し、下部スカート１ｄに形成された開口部１１を有するカットアウト本体１と、下部スカート１ｄの開口部１１を閉止する閉止蓋３を備える。閉止蓋３は、閉止蓋本体３１と摘み３２で構成している。閉止蓋本体３１に対して、摘み３２は、同軸上に回転自在、及び閉止蓋本体３１と離反困難に連結している。摘み３２は、一対の把持面３２１・３２１を外周に形成している。摘み３２に設けた把持面３２１・３２１を絶縁操作棒９の先端部に設けた一対の把持腕９ａ・９ｂで把持して、吊り紐８ａに邪魔されることなく、閉止蓋３をカットアウト本体１の底部に容易に着脱できる。
【選択図】図２【図１】
0005461662.tif 000002
【図２】
0005461662.tif 000003
【図３】
0005461662.tif 000004
【図４】
0005461662.tif 000005
【図５】
0005461662.tif 000006
【図６】
0005461662.tif 000007
【図７】
0005461662.tif 000008